(57)【要約】      （修正有）【課題】ユニット交換を容易にし、またユニットの強引な引き抜きを防止するケーブルホルダユニット、電子機器を提供する。【解決手段】ケーブルホルダユニットは、ケーブルが接続される複数のユニットを搭載する電子機器に搭載される。そして、ケーブルホルダユニットは、ケーブルホルダと、ケーブルホルダを支持する支持部とを備えるケーブルホルダアセンブリと、ケーブルホルダアセンブリを搭載する搭載部とを有する。支持部は、溝と、溝に貫通して挿入される突起を有する可動部と、を有する。搭載部は、支持部を回転させるための回転部と、突起に係合し、支持部の回転を抑止する係合部と、を有する。また、搭載部の下部に隣接するユニットの引き抜きを防止する防止部を有する。【選択図】図１
2008103625.tif 000002
【特許請求の範囲】
【請求項１】
電子機器に搭載される複数のユニット間に配置されるケーブルホルダユニットであって、
ケーブルを保持するケーブルホルダおよびケーブルホルダを支持する支持部と、を備えるケーブルホルダアセンブリと、
ケーブルホルダアセンブリを搭載する搭載部と、を有し、
支持部は、
溝と、溝に貫通して挿入される突起を備える可動部とを有し、
搭載部は、
支持部を回転可能とする回転部と、突起に係合し支持部の回転を抑止する係合部と、を有することを特徴とするケーブルホルダユニット。
【請求項２】
搭載部は、
可動部により支持部の係合が解除され、支持部が搭載部に対し所定角度、回転したときに逆回転を抑止する抑止部を有することを特徴とする請求項１記載のケーブルホルダユニット。
【請求項３】
搭載部は、
搭載部に隣接するユニットの引き抜きを防止する防止部を有することを特徴とする請求項１記載のケーブルホルダユニット。
【請求項４】
ケーブルを接続する複数のユニットを搭載する電子機器であって、
第１のユニットと、
第１のユニットに隣接して配置される第２のユニットと、
第１のユニットから第２のユニット上を経由して配線されるケーブルと、
第１のユニットと第２のユニット間に配置されるケーブルホルダユニットとを有し、
ケーブルホルダユニットが、
第１のユニットのケーブルを保持するケーブルホルダと、ケーブルホルダを支持し、かつ溝と溝に貫通して挿入される突起を備える可動部とを有する支持部と、を備えるケーブルホルダアセンブリと、
ケーブルホルダアセンブリを搭載し支持部を回転可能とする回転部と、突起に係合し支持部の回転を抑止する係合部と、を備える搭載部と、
を有することを特徴とする電子機器。
【請求項５】
搭載部は、
可動部により支持部の係合が解除され、支持部が搭載部に対し所定角度、回転したときに
逆回転を抑止する抑止部を有することを特徴とする請求項４記載の電子機器。
【請求項６】
搭載部は、
第２のユニットの引き抜きを防止する防止部を有することを特徴とする請求項４記載の電子機器。
【発明の詳細な説明】
【技術分野】
【０００１】
本発明は、ディスクアレイ装置等の電子機器に搭載されている多数のインターフェースケーブルを保持するケーブルホルダユニットに関するものである。
【背景技術】
【０００２】
ハードディスクの大容量化が急速に進むにつれて、ハードディスクの故障時に受ける被害はますます大きくなってきている。このため、ハードディスクの故障によるデータ損失を防ぎ、合わせて処理性能を向上するために、ＲＡＩＤ(Redundant Array of Inexpensive Disks)技術が用いられている。複数台のハードディスクを組み合わせて、冗長化された１台のハードディスクとして管理する技術であり、この技術を用いた装置は、ディスクアレイ装置と呼ばれる。ディスクアレイ装置は、データを記憶する複数のディスク装置、ディスク装置との間でデータのリード／ライトを制御するコントロールモジュール、ホストとの通信を制御するチャネルアダプタ等から構成されている。そして、ディスクアレイ装置の筐体内には、ホストとチャネルアダプタとのインターフェースケーブル等のケーブルが多数搭載されている。そして、例えば、チャネルアダプタとコントロールモジュールとが上下２段に積み重なっている場合には、ホストとチャネルアダプタとのインターフェースケーブルが下段のコントロールモジュールのユニット交換の妨げになることがある。この場合には、保守者は、手でケーブルを掻き分けるようにして交換作業を実施している。      
【０００３】
このようなケーブルの処理に対して、パッケージの交換のため、ユニットフレームに、回転可能に支持されたケーブル押さえ金具を設け、ケーブル押さえ金具を回転させて左右に開き、隣接するパッケージの前面ケーブルを左右に押し広げてパッケージの交換作業を容易にする方法が提案されている (特許文献１)。
【特許文献１】特開２００２−１００８８８号公報（第３頁段落００２３、図３）
【発明の開示】
【発明が解決しようとする課題】
【０００４】
この方法は、パッケージ単位に交換する場合には、ケーブルを左右に押し広げることができるため、パッケージを交換することが容易となる。しかし、複数本のケーブルをまとめてユニットの前から移動しないと、ユニットの交換が出来ない場合には、この方法では、対応できない。また、上下２段に積み重ねられたユニットの場合において、上段のユニットのケーブルが下段のユニットの上を経由する場合には、効果的に移動することができない。
【０００５】
本発明は、ケーブルをユニットの前から移動することで、ユニット交換を容易にするケーブルホルダユニット、電子機器を提供することを目的とする。また、強引なユニットの抜き差しを防止するケーブルホルダユニット、電子機器を提供することを目的とする。
【課題を解決するための手段】
【０００６】
本願発明のケーブルホルダユニットは、ケーブルが接続される複数のユニットを搭載する電子機器に搭載される。そして、ケーブルホルダユニットは、ケーブルホルダと、ケーブルホルダを支持する支持部とを備えるケーブルホルダアセンブリと、ケーブルホルダアセンブリを搭載する搭載部と、を有する。支持部は、溝と、溝に貫通して挿入される突起を有する可動部と、を有する。搭載部は、支持部を回転させる回転部と、突起に係合し、支持部の回転を抑止する係合部と、を有する。この構成により、可動部により、突起の係合を解除して、ケーブルホルダアセンブリを回転させることができる。この結果、ケーブルホルダユニットの下にあるユニットの上に垂れ下がるケーブルを排除できるので、ユニットの抜き差しが容易となる。
【０００７】
また、ケーブルホルダユニットの搭載部は、可動部により支持部の係合が解除され、支持部が搭載部に対し所定角度、回転したときに逆回転を抑止する抑止部を有する構成である。この構成により、ケーブルホルダアセンブリを回転後にロックできるので、逆回転を防止できる。
【０００８】
また、ケーブルホルダユニットの搭載部は、搭載部の下部に隣接するユニットの引き抜きを防止する防止部を有する構成である。この構成により、ケーブルホルダユニットの下部にあるユニットの引き抜きを防止できるため、ケーブルを傷つけることがなくなる。
【発明の効果】
【０００９】
本発明により、インターフェースケーブルを効果的に移動させることができるので、上下２段のユニットの下のユニットの交換作業が容易になる。また、ケーブル処理をせずにユニットを強引に交換することによってケーブルを傷つけたりすることを防ぐことができる。
【発明を実施するための最良の形態】
【００１０】
（実施例１）
図１にディスクアレイ装置の一部の外観図を示す。
【００１１】
ディスクアレイ装置２１のフロント側のカバーをはずしたときの外観図を示す。この外観図は、ディスク装置２２、電源モジュール２３、コントロールモジュール（以降ＣＭ２４）２４、チャネルアダプタ（以降ＣＡ２５）２５、バッテリユニット２６、ＣＭ２４、ＣＡ２５を搭載するシェルフ２７、ケーブルホルダユニット１１等を搭載する図を示す。
【００１２】
数十台のディスク装置２２が、装置の上部に設置されている。その下に電源モジュール２３が１２台設置されている。そして、電源モジュール２３の下にＣＭ２４が上部、ＣＡ２５が下部の組の構成がシェルフ２７の上下２段に搭載されている。ケーブルホルダユニット１１は、シェルフ２７の上下２段の間に搭載されている。バッテリユニット２６は、フロント側から見て、ディスク装置２２、電源モジュール２３、ＣＭ２４、ＣＡ２５に対して左側に設置されている。
【００１３】
ディスク装置２２は、データを記憶する装置である。電源モジュール２３は、ＣＭ２４、ＣＡ２５の電源である。ＣＭ２４は、ホストからのライトデータをディスク装置２２にライトするライト制御を行う。また、ＣＭ２４は、ディスク装置２２からのリードデータをホストへ送信するリード制御等を行う。ＣＡ２５は、ホストとの通信を制御する。ＣＡ２５からのデータは、対応するＣＭ２４に送信される。また、ＣＭ２４からのデータは、対応するＣＡ２５に送信される。１枚のＣＭ２４に対して、４枚のＣＡ２５が接続されている。バッテリユニット２６は、停電時のＣＭ２４上のメモリに電源を供給する。シェルフ２７は、ＣＭ２４、ＣＡ２５の組を２組搭載するために、上下２段の構成になっている。図示していないが、ＣＡ２５とホストとの間を接続するケーブル２８が搭載されている。ケーブルホルダユニット１１は、図１には図示していないケーブル２８を保持する。
【００１４】
図２にケーブル処理の説明図を示す。
【００１５】
ＣＡ２５のコネクタに接続されたケーブル２８は、ディスクアレイ装置２１を設置した床の床下に配線されるため、ディスクアレイ装置２１の下部に向けて配線される。シェルフ２７の上段に搭載された１６枚のＣＡ２５から１６本のケーブル２８がディスクアレイ装置２１の下部に向かって、配線されている図である。シェルフ２７の下段のＣＡ２５のケーブル２８の配線図は、省略している。フロント側から見て右から２番目のＣＡ２５に対応するケーブル２８の配線は、ケーブルホルダセンブリ１の回転後のケーブル状態である。このケーブルホルダセンブリ１には、４本のケーブルがクランプされているので、ケーブルホルダセンブリ１の回転により、４本のケーブル２８が移動する。その結果、このＣＡ２５の下のＣＭ２４には、ケーブル２８は、垂れ下がらない。その他の３箇所のケーブルアセンブリ１は回転していないので、ケーブル２８は、ＣＭ２４の上を経由してそのまま垂れ下がっている。
【００１６】
図３にケーブルホルダセンブリの説明図を示す。
【００１７】
ディスクアレイ装置１は、ＣＡ２５とＣＭ２４を搭載する上段と下段のシェルフ２７間に上段のＣＡ２５に接続されているケーブル２８を搭載するためのケーブルホルダユニット１１を設けている。ケーブルホルダユニット１１は、４つのケーブルホルダセンブリ１とそれらを搭載する金具Ｃ１２を有する。ケーブルホルダセンブリ１は、金具Ａ２とケーブルホルダ３とコイルバネ４、ピンＡ５、軸孔６、金具Ｂ７、溝Ａ８、孔９とを有する。金具Ａ２に、ケーブルホルダ３とコイルバネ４、ピンＡ５、金具７が搭載されている。また、金具Ａ２に、軸孔６、溝Ａ８、孔９が設けてある。ケーブルホルダ３は、ＣＡ２５からのケーブル２８を保持するためのホルダであり、４つのホルダを有する。コイルバネ４は、ケーブルホルダセンブリ１を金具Ｃ１２にロックするためのバネである。そのため、コイルバネ４の一部のＶ字形状の突起分を金具Ａ２の溝Ａ８を貫通して金具Ｃ１２の溝Ｃ１３にバネ力で挿入する構造としている。また、コイルバネ４は、可動型であり、保守者が手で、コイルバネ４を持ち上げれば、Ｖ字形状の突起分を金具Ｃ１２の溝Ｃ１３から逃すことができるバネ力である。また、コイルバネ４の一部の突起分を金具Ａ２の溝Ａ８を貫通した状態のときに、金具Ｃ１２の係止部１５のエッジ１６に係止される構造である。ピンＡ５は、コイルバネ４を金具Ａ２に固定する。保守者がコイルバネ４の突起分を金具Ａ２から持ち上げたときに、コイルバネ４は、ディスクアレイ装置１のフロント側から見て反時計方向に回転可能なように固定されている。軸孔６は、回転軸となるピンＣ１７を挿入するためのものである。金具Ｂ７は、ＣＭ２４のイジェクタレバー２９の操作を妨害するためにある。溝Ａ８は、コイルバネ４の一部のＶ字形状の部分を貫通させるためのものである。孔９は、ピンＡ５によりコイルバネ４を金具Ａ２に固定するための孔である。ケーブルホルダユニット１１の金具Ｃ１２は、溝Ｃ１３、回転軸用孔１４、係止部１５、エッジ１６、ピンＣ１７を有する。金具Ｃ１２は、シェルフ２７に固定される。溝Ｃ１３は、ケーブルホルダセンブリ１のコイルバネ４のＶ字型の突起分が挿入されることで、突起分と係合し、ケーブルホルダセンブリ１の回転を抑止する係合部である。回転軸用孔１４は、回転軸となるピンＣ１７を受け止める。ケーブルホルダセンブリ１が回転可能になるように、ピンＣ１７は、金具Ｃ１２に固定される。係止部１５は、ケーブルホルダセンブリ１の回転後のストッパとしてのエッジ１６を設けてある。ピンＣ１７は、ケーブルホルダセンブリ１が金具Ａ２の軸孔６を支点として回転するための回転軸である。
【００１８】
図４にケーブルホルダセンブリの正面図、右側面図、斜視図を示す。
【００１９】
図４（ａ）は、ケーブルホルダセンブリの正面図である。ケーブルホルダ３、金具Ｂ７の側から見た図である。ケーブルホルダセンブリ１は、金具Ａ２にケーブルホルダ３を搭載する。図４（ｂ）は、ケーブルホルダセンブリの右側面図である。コイルバネ４が、ピンＡ５で固定されている。ケーブルホルダ３の右側面が見える。また、金具Ｂ７の形状がＬ字型であり、金具Ａ２の下方に、Ｌ字型の一部が配置されている。図４（ｃ）は、ケーブルホルダセンブリの背面側より見た斜視図である。コイルバネ４が、金具Ａ２の溝Ａ８に入っている状態である。この状態で、金具Ｃ１２の溝Ｃ１３にもコイルバネ４が入るときには、金具Ｃ１２にケーブルホルダセンブリ１は、ロックされる。従って、コイルバネ４を矢印の方向に持ち上げれば、溝Ｃ１３からコイルバネ４がはずれる。その結果、ケーブルホルダセンブリ１に対する金具Ｃ１２のロックが解除される構造である。
【００２０】
図５にケーブルホルダセンブリの回転前の説明図を示す。
【００２１】
コイルバネ４を持ち上げる前は、コイルバネ４がバネの力により金具Ａ２の溝Ａ８および金具Ｃ１２の溝Ｃ１３に入っており開かないようにロックされている（図５（ａ）参照）。そのため、ケーブルホルダセンブリ１を回転させるには、まずコイルバネ４を矢印の方向に持ち上げる（図５（ｂ）参照）。コイルバネ４の一部を持ち上げることで、金具Ａ２の溝Ａ８および金具Ｃ１２の溝Ｃ１３に入っていたＶ字型の突起分が、溝Ｃ１３から金具Ｃ１２の上に持ち上がるので、その状態で、少し時計周り方向に回転させる。そして、持ち上げていたコイルバネ４の一部を離すと、コイルバネ４のＶ字型の突起分は、金具Ｃ１２の係止部１５の上に乗る。
【００２２】
図６にケーブルホルダセンブリの回転後の説明図を示す。
【００２３】
図６（ａ）は、図５（ｂ）の状態から、ピンＣ１７を支点として金具Ｃ１２に対して時計周りで略９０度の方向にケーブルホルダセンブリ１を回転させた状態である。このとき、コイルバネ４のＶ字型の突起分は、係止部１５の上に乗り、接触しながら回転していく。そして、コイルバネ４は、ケーブルホルダセンブリ１を時計周りで略９０度の方向に回転をすると、係止部１５からはずれ、金具Ｃ１２のエッジ１６の部分に入りこむ。この結果、コイルバネ４のＶ字型の突起分は、金具Ａ２の溝Ａ８から飛び出る。そのため、反時計方向にケーブルアセンブリ１を回転させようとしても、コイルバネ４のＶ字型の突起分が、金具Ｃ１２の係止部１５のエッジ１６に衝突して、回転ができない。従って、ケーブルホルダセンブリ１は、開いた状態を保持する（図６（ｂ）参照）。このように、インターフェースケーブルを効果的に移動させることができるので、上下２段のユニットの下のユニットの交換作業が容易になる。上下２段の構成の場合だけでなく、左右２段構成で、ケーブル２８が例えば左のユニットから、右のユニットの上を経由して接続されている場合にも適用できる。
【００２４】
図７に誤抜取防止金具の説明図１を示す。
【００２５】
ケーブルホルダセンブリ１の金具Ｂ７は、ケーブルホルダセンブリ１を閉めた状態（図７（a）参照）の場合には、ＣＭ２４のイジェクタレバー２９の回転を妨げる。図７（ｂ）に、イジェクタレバーと金具Ｂの位置関係を示す。ディスクアレイ装置２１のフロント側から見て、ケーブルホルダセンブリ１の右側面から見たときのイジェクタレバー２９と金具Ｂ７の位置関係を示す図である。イジェクタレバー２９を時計周り方向の矢印の方向にイジェクタレバー２９の支点３１に基づいて回転させようとすると、Ｌ字型の金具Ｂ７の先端のＸ部が、イジェクタレバー２９と衝突し、イジェクタレバー２９の回転を阻止する。そのため、イジェクタレバー２９は回転ができない。このため、上方のＣＡ２５からのケーブル２８が垂れ下がった状態でのＣＭ２４を引き抜くためのイジェクタレバー２９の操作を防止できる。この結果、ケーブル処理をせずにＣＭ２４を強引に抜き差しすることによってケーブル２８を傷つけたりすることを防ぐことができる。
【００２６】
図８に、誤抜取防止金具の説明図２を示す。
【００２７】
ケーブルホルダセンブリ１を回転させている場合は、金具Ｂ７は、イジェクタレバー２９の場所から離れている（図８（ａ）参照）。そのため、イジェクタレバー２９の操作を妨害しない。この結果、イジェクタレバー２９が回転できるので（図８（ｂ）参照）、ＣＭ２４の抜取りが可能である。
【００２８】
以上の実施例を含む実施形態に関し、更に以下の付記を開示する。
（付記１）電子機器に搭載される複数のユニット間に配置されるケーブルホルダユニットであって、ケーブルを保持するケーブルホルダおよびケーブルホルダを支持する支持部と、を備えるケーブルホルダアセンブリと、ケーブルホルダアセンブリを搭載する搭載部と、を有し、支持部は、溝と、溝に貫通して挿入される突起を備える可動部とを有し、搭載部は、支持部を回転可能とする回転部と、突起に係合し支持部の回転を抑止する係合部と、を有することを特徴とするケーブルホルダユニット。
（付記２）搭載部は、可動部により支持部の係合が解除され、支持部が搭載部に対し所定角度、回転したときに逆回転を抑止する抑止部と、を有することを特徴とする付記１記載のケーブルホルダユニット。
（付記３）搭載部は、搭載部に隣接するユニットの引き抜きを防止する防止部を有することを特徴とする付記１記載のケーブルホルダユニット
（付記４）可動部は、係合部との係合を解除する方向に突起を移動する移動部を有することを特徴とする付記１記載のケーブルホルダユニット。
（付記５）可動部は、搭載部との係合を解除する方向に突起を回転可能とする保持部を有することを特徴とする付記１記載のケーブルホルダユニット。
（付記６）可動部は、コイルバネであることを特徴とする付記１記載のケーブルホルダユニット。
（付記７）係止部は、Ｌ字型金具であることを特徴とする付記１記載のケーブルホルダユニット。
（付記８）ケーブルが接続される複数のユニットを搭載する電子機器のケーブルホルダユニットであって、  ケーブルを保持するケーブルホルダおよびケーブルホルダを支持する支持部と、を備えるケーブルホルダアセンブリと、ケーブルホルダアセンブリを搭載する搭載部と、を有し、支持部は、溝と、溝に貫通して挿入される突起と、を備える可動部を有し、搭載部は、支持部を回転可能とする回転部と、突起に係合し、支持部の回転を抑止する係合部と、を有することを特徴とするケーブルホルダユニット。
（付記９）搭載部は、可動部により支持部の係合が解除され、支持部が搭載部に対し所定角度、回転したときに逆回転を抑止する抑止部と、を有することを特徴とする付記８記載の電子機器。
（付記１０）搭載部は、第２のユニットの引き抜きを防止する防止部を有することを特徴とする付記８記載の電子機器。
（付記１１）可動部は、係合部との係合を解除する方向に突起を移動する移動部を有することを特徴とする付記８記載の電子機器。
（付記１２）可動部は、搭載部との係合を解除する方向に突起を回転可能とする保持部を有することを特徴とする付記８記載の電子機器。
（付記１３）可動部は、コイルバネであることを特徴とする付記８記載の電子機器。
（付記１４）係止部は、Ｌ字型金具であることを特徴とする付記８記載の電子機器。
【図面の簡単な説明】
【００２９】
【図１】ディスクアレイ装置の一部の外観図
【図２】ケーブル処理の説明図
【図３】ケーブルホルダセンブリの説明図
【図４】ケーブルホルダセンブリの正面図、右側面図、斜視図
【図５】ケーブルホルダセンブリの回転前の説明図
【図６】ケーブルホルダセンブリの回転後の説明図
【図７】誤抜取防止金具の説明図１
【図８】誤抜取防止金具の説明図２
【符号の説明】
【００３０】
１  ケーブルホルダセンブリ
２  金具Ａ
３  ケーブルホルダ
４  コイルバネ
５  ピンＡ
６  軸孔
７  金具Ｂ
８  溝Ａ
９  孔
１１  ケーブルホルダユニット
１２  金具Ｃ
１３  溝Ｃ
１４  回転軸受け孔
１５  係止部
１６  エッジ
１７  ピンＣ
２１  ディスクアレイ
２２  ディスク装置
２３  電源モジュール
２４  コントロールモジュール（ＣＭ）
２５  チャネルアダプタ（ＣＡ）
２６  バッテリモジュール    
２７  シェルフ
２８  ケーブル  
２９  イジェクタレバー
３１  支点
【図１】
2008103625.tif 000003
【図２】
2008103625.tif 000004
【図３】
2008103625.tif 000005
【図４】
2008103625.tif 000006
【図５】
2008103625.tif 000007
【図６】
2008103625.tif 000008
【図７】
2008103625.tif 000009
【図８】
2008103625.tif 000010